(57)【要約】【課題】化粧水用ボトルを衛生的に維持し、ボトルのなかの化粧水を無駄なく使用できるようにした化粧水用ボトル構造を提供する。【解決手段】上方に蓋２０１が着脱可能に装着される外側スリーブ管２０と、該外側スリーブ管２０の上方に装着される上方制御集成体３０と、前記外側スリーブ管２０の下方に装着される下方制御集成体４０とから構成される化粧水用ボトル構造であって、口部３２を一方向（矢印方向）へ廻して外側ねじ部２２に螺合した雌ねじ部３２１を緩めて、口部３２を上方へ引き上げ、前記口部３２の中央スリーブ孔３２３からスリーブ弁３２の突出ロッド３１１を離間させ、スリーブ弁３１のテーパ付きファセット１２と口部３２のテーパ付きノズル３２２とによって限定された隙間を形成し、該隙間を介して、化粧水を貫通孔３１２１から調節可能に取り出せるように構成した。【選択図】　　図７
0003098831.tif 000002
【実用新案登録請求の範囲】
【請求項１】
上方に蓋が着脱可能に装着される外側スリーブ管と、該外側スリーブ管の上方に装着される上方制御集成体と、前記外側スリーブ管の下方に装着される下方制御集成体とから構成される化粧水用ボトル構造であって、
前記外側スリーブ管は、内部中空状に形成され、且つ上方部には、前記蓋の内側位置決め溝に整合する係合用ドットが形成された連結リング部と、前記連結リング部の上部で伸長する段付き外側ねじ部と、前記段付き外側ねじ部の上部突出部に装着される密封用リングを有する上部スリーブとを有し、
前記外側スリーブ管の上方部に装着された上方制御集成体は、スリーブ弁と、口部と、フィルター付きキャップとから構成され、前記スリーブ弁は、その上部に配置された突出ロッドと、その中央部に貫通孔の形成されたテーパ付き接触ファセット面と、その下方部に形成された小段差付きスリーブ部と、該スリーブ部の底部に延在する底部フランジ付きの１対の対称になる円弧形可撓性プレートとを有し、前記外側スリーブ管の上部開口部に装着されて、係止スリーブの上部に位置決めされたテーパ付き接触ファセットとスリーブ係合されるようになっており、
その上部に中央スリーブ穴が形成されたテーパ付きノズル部を有する口部３２が、内側底部側に配置され且つ前記スリーブ弁の上部に位置決めされた内部雌ねじ部を介して前記外側スリーブ管の階段状外側雄ねじ部へねじ止めされ、中央スリーブ孔がスリーブ弁の突出ロッドと係合し、テーパ付きノズルが、スリーブ弁のテーパ付き接触ファセットに対しぴたりと閉じられて、前記テーパ付きファセットに設けられた各貫通孔を密閉するようにし、
これにより、前記口部が一方向に廻されて、階段状外側ねじ部から内部ねじ部のねじ係合を外すと、スリーブ弁の突出ロッドを口部の中央スリーブ孔から外せるようになり、スリーブ弁のテーパ付き接触ファセット及び口部のテーパ付きノズルとの両者間に隙間が形成されて、スリーブ弁の貫通孔が開放され、保持室内の化粧水が口部の中央スリーブ孔を通過して流れて、口部の上部に装着したフィルタ付きキャップを介して取り出せるようにしたことを特徴とする化粧水用ボトル構造。
【請求項２】
前記外側スリーブ管の上方内側周縁は、多角形位置決め部によって限定されていることを特徴とする請求項１に記載の化粧水用ボトル構造。
【請求項３】
前記スリーブ弁の接触ファセット及び口部のノズルは双方共にテーパを付けられた形態になっていることを特徴とする請求項１に記載の化粧水用ボトル構造。
【請求項４】
上方制御集成体のフィルタ付きキャップには、その上部表面に複数個のフィルタ孔が形成されていることを特徴とした請求項１に記載の化粧水用ボトル構造。
【請求項５】
上方制御集成体のフィルタ付きキャップには、その上部表面に中央フィルタ孔が形成されていることを特徴とした請求項１に記載の化粧水用ボトル構造。
【請求項６】
前記外側スリーブ管は、更に、その中部内周縁に配置された複数個の傾斜角案内ブロックと、該案内ブロックの真下で下方部を限定する複数個のリング状凹部と、前記傾斜角案内ブロックの上部の配置された保持室とを含み、
前記下方制御集成体は、上部ロッドと、可撓性スリーブと、押圧ロッドと、位置決め手段と、回転式ねじスリーブと、内側位置決めスリーブと、基部座とから構成されており、
底端部が閉じている押圧ロッドは、複数個の密封用ワッシャーがその上部に配置されてそこに適用された押圧部と、回転式ねじスリーブの右回り孔とねじ結合するようにその底部に伸長している左廻りねじ付き柱と、を有し、
前記位置決め手段は、位置決めのために外側スリーブ管の傾斜角度のついた案内ブロックと係合させるよう、その外側周縁に対称に配置された１対の傾斜角突出部と、回転式ねじスリーブの外側ねじ部へねじ止めするよう、その中央に配置された内側ねじ部４４２と、を有し、
内側位置決めスリーブは、外側スリーブ管のリング状凹部と係合するよう、その周縁の中央で突出している複数個のリング状リブと、両側が平行線でカットされた中央スリーブ孔と、基部座の中央に配置された多角形係合溝へ設置されるための多角形係合部と、が有り、
こうして、基部座が一側へ回転されたとき、回転式ねじスリーブが該基部座の回転により上方へ回転し、外側スリーブ管の保持室において押圧ロッドが垂直に上方へと移動するようにさせると、中に入れてある化粧水が押圧されて、多角形固定部のスロットまで滑らかに上方して移動して行き、使用に供するために前記上方制御集成体を介して流れ出るようにしたことを特徴とした請求項１に記載の化粧水用ボトル構造。
【請求項７】
前記下方制御集成体において、上部ロッドと可撓性スリーブを省略して前記下方制御集成体を形成したことを特徴とした請求項１に記載の化粧水用ボトル構造。
【考案の詳細な説明】
【０００１】
【考案の属する技術分野】
本考案は、化粧水用のボトルに関し、更に具体的に言うと、化粧水用のボトルを衛生的に維持し、ボトルのなかの化粧水を無駄なく使用できるようにした化粧水用ボトル構造に関するものである。
【０００２】
【従来の技術】
図１及び図２に示すものは、従来の携帯用の化粧水用のボトル構造である。この従来の化粧水用のボトル１０は、主に、ボトル本体１１、前記ボトル本体の上部に装着される蓋１２とで構成されている。
【０００３】
【考案が解決しようとする課題】
前記従来の化粧水用ボトルにおいて、蓋１２がボトル１１の上部に被されている場合であっても、ボトルの中の化粧水Ａがこぼれ出て、蓋１２の内側をべとべとに汚し、これがバクテリアを発生しやすくして、衛生状態を台無しにしてしまうこととなる。
実際に使用する際には、まず最初にボトル１１を逆さにひっくり返してからボトルの中央部をぎゅっと押し絞るようにすると、図２に示すように、使用される分量の化粧水Ａが流れ出てくる。しかし、絞り出す力が大き過ぎた場合には、瞬間的にものすごい量の化粧水Ａが勢いよく飛び出して来て、化粧水が無駄に使用されることになる。
【０００４】
前記化粧水Ａの残りの量が少なくなってボトルの底の方まで減ってしまった場合には、化粧水Ａが出てくるまでに多少の時間がかかる。待ちきれなくて慌ててボトルを絞ってしまうと、微量の化粧水Ａの混じった空気だけが飛び出してくることになり、実に使うのに不便である。
従って、本考案は、外側スリーブ管と、該外側スリーブ管の上部に装着された上方制御集成体と、該外側スリーブ管の下方部に装着された下方制御集成体とから成り、前記上方制御集成体は、前記外側スリーブ管の上方開口部に適用されたスリーブ弁と、前記スリーブ弁に対してぴたりと閉じるように接触して前記弁の貫通孔を密封するために外側スリーブにねじ止めされた口部と、前記口の上部に固く据え付けられたフィルター付きキャップとから構成され、これにより、外側スリーブ管に入れられた化粧水が、口部の外側やフィルタ付きキャップの内側に溢れ出してべたべたになったりすることなく正確にボトルの中に保持されて、化粧水用ボトルを良好な衛生状態に保ち、化粧水を無駄なく使用できるようにした、改良した化粧水用ボトル構造を提供することをその主要な目的とする。
【０００５】
本発明の第２の目的は、上方制御集成体の口部を一側に回転すると、口部のテーパ付き接触ファッセット及びテーパ付き接触ノズルとで限定された隙間が表われて、使用に対し化粧水をスリーブ弁の貫通孔から流し出せるようになり、これにより、使用時に流れ出る化粧水の量を隙間の寸法を調節することで可能になり、使用するときに不適切に絞り出す力を加えることで化粧水が突然にどっと飛び出したり、化粧水を不経済に無駄にしたりする、ということが回避することのできる、改良した化粧水用のボトル構造を提供することをその主要な目的とする。
【０００６】
また、本発明の第３の目的は、下方制御集成体は、押圧ロッドを有しており、その底部に伸長する左廻りのねじ付き柱が、回転式ねじスリーブの右廻りねじ付き孔とぴたりと合うようになるので、これによって、外側スリーブ管の底部に形成された基部座が一側へ回転されたとき、これで回転式ねじスリーブが上方へ回転して、押圧ロッドを外側スリーブ管において垂直に上方に移動するようにさせるので、使用時には、その中に入れた化粧水が滑らかに上方へ上がって行き、上方制御集成体を介して間断なく流れ出るようにした、改良した化粧水用ボトル構造を提供することをその主要な目的とする。
【０００７】
【課題を解決する手段】
本考案に係る化粧水用ボトル構造は、上方に蓋が着脱可能に装着される外側スリーブ管と、該外側スリーブ管の上方に装着される上方制御集成体と、前記外側スリーブ管の下方に装着される下方制御集成体とから構成される化粧水用ボトル構造であって、前記外側スリーブ管は、内部中空状に形成され、且つ上方部には、前記蓋の内側位置決め溝に整合する係合用ドットが形成された連結リング部と、前記連結リング部の上部で伸長する段付き外側ねじ部と、前記段付き外側ねじ部の上部突出部に装着される密封用リングを有する上部スリーブとを有し、前記外側スリーブ管の上方部に装着された上方制御集成体は、スリーブ弁と、口部と、フィルター付きキャップとから構成され、前記スリーブ弁は、その上部に配置された突出ロッドと、その中央部に貫通孔の形成されたテーパ付き接触ファセット面と、その下方部に形成された小段差付きスリーブ部と、該スリーブ部の底部に延在する底部フランジ付きの１対の対称になる円弧形可撓性プレートとを有し、前記外側スリーブ管の上部開口部に装着されて、係止スリーブの上部に位置決めされたテーパ付き接触ファセットとスリーブ係合されるようになっており、その上部に中央スリーブ穴が形成されたテーパ付きノズル部を有する口部が、内側底部側に配置され且つ前記スリーブ弁の上部に位置決めされた内部雌ねじ部を介して前記外側スリーブ管の階段状外側雄ねじ部へねじ止めされ、中央スリーブ孔がスリーブ弁の突出ロッドと係合し、テーパ付きノズルが、スリーブ弁のテーパ付き接触ファセットに対しぴたりと閉じられて、前記テーパ付きファセットに設けられた各貫通孔を密閉するようにし、これにより、前記口部が一方向に廻されて、階段状外側ねじ部から内部ねじ部のねじ係合を外すと、スリーブ弁の突出ロッドを口部の中央スリーブ孔から外せるようになり、スリーブ弁のテーパ付き接触ファセット及び口部のテーパ付きノズルとの両者間に隙間が形成されて、スリーブ弁の貫通孔が開放され、保持室内の化粧水が口部の中央スリーブ孔を通過して流れて、口部の上部に装着したフィルタ付きキャップを介して取り出せるようにしたことを特徴とする。
【０００８】
請求項２の考案は、請求項１に記載した化粧水用ボトル構造において、前記外側スリーブ管の上方内側周縁は、多角形位置決め部によって限定されていることを特徴とする。
請求項３の考案は、請求項１に記載した化粧水用ボトル構造において、前記スリーブ弁の接触ファセット及び口部のノズルは双方共にテーパを付けられた形態になっていることを特徴とする。
【０００９】
請求項４の考案は、請求項１に記載した化粧水用ボトル構造において、上方制御集成体のフィルタ付きキャップには、その上部表面に複数個のフィルタ孔が形成されていることを特徴とする。
請求項５の考案は、請求項１に記載した化粧水用ボトル構造において、上方制御集成体のフィルタ付きキャップには、その上部表面に中央フィルタ孔が形成されていることを特徴とする。
【００１０】
請求項６の考案は、請求項１に記載した化粧水用ボトル構造において、前記外側スリーブ管は、更に、その中部内周縁に配置された複数個の傾斜角案内ブロックと、該案内ブロックの真下で下方部を限定する複数個のリング状凹部と、前記傾斜角案内ブロックの上部の配置された保持室とを含み、前記下方制御集成体は、上部ロッドと、可撓性スリーブと、押圧ロッドと、位置決め手段と、回転式ねじスリーブと、内側位置決めスリーブと、基部座とから構成されており、底端部が閉じている押圧ロッドは、複数個の密封用ワッシャーがその上部に配置されてそこに適用された押圧部と、回転式ねじスリーブの右回り孔とねじ結合するようにその底部に伸長している左廻りねじ付き柱と、を有し、前記位置決め手段は、位置決めのために外側スリーブ管の傾斜角度のついた案内ブロックと係合させるよう、その外側周縁に対称に配置された１対の傾斜角突出部と、回転式ねじスリーブの外側ねじ部へねじ止めするよう、その中央に配置された内側ねじ部４４２と、を有し、内側位置決めスリーブは、外側スリーブ管のリング状凹部と係合するよう、その周縁の中央で突出している複数個のリング状リブと、両側が平行線でカットされた中央スリーブ孔と、基部座の中央に配置された多角形係合溝へ設置されるための多角形係合部と、が有り、こうして、基部座が一側へ回転されたとき、回転式ねじスリーブが該基部座の回転により上方へ回転し、外側スリーブ管の保持室において押圧ロッドが垂直に上方へと移動するようにさせると、中に入れてある化粧水が押圧されて、多角形固定部のスロットまで滑らかに上方して移動して行き、使用に供するために前記上方制御集成体を介して流れ出るようにしたことを特徴とする。
【００１１】
請求項７の考案は、請求項１に記載した化粧水用ボトル構造において、前記下方制御集成体において、上部ロッドと可撓性スリーブを省略して前記下方制御集成体を形成したことを特徴とする。
【００１２】
【考案の実施の形態】
以下に、添付図面を参照しながら本考案の好適な実施の形態を詳細に説明する。
本考案の実施形態の化粧水用ボトル構造は、図３に示すように、外側スリーブ管２０、上方制御集成体３０、下方制御集成体４０で構成されている。
中空の管状スリーブである外側スリーブ管２０は、その上部外周縁に装着される蓋２０１の内側位置決め溝２０１１に整合するようになっている係合用ドット２１１の形成された小段差付きの連結リング部２１と、前記小段差付きの連結リング部２１の上部で伸長する段付き外側ねじ部２２と、前記段付き外側ねじ部２２の上部に突出していて、そこに適用される密封用リング２３１を有する上部スリーブ２３と、外側スリーブ管２０の上方内側周囲を限定する多角形の位置決め部２４とを有する。外側スリーブ管２０は、更に、その中部内周縁に配置された複数個の傾斜角案内ブロック２５と、該案内ブロック２５の真下で下方部を限定する複数個のリング状凹部２６と、前記傾斜角案内ブロック２５の上部の配置された保持室２７とを含む。
【００１３】
上方制御集成体３０は、スリーブ弁３１と、口部３２と、フィルター付きキャップ３３とから構成される。スリーブ弁３１には、その上部に形成された突出ロッド３１１と、その中央部に貫通孔３１２１の形成されたテーパ付き接触ファセット面３１２と、その下方部に配置された小段差付きのスリーブ部３１３と、該スリーブ部３１３の底部に延在する底部フランジ３１４１付きの、１対の対称になる円弧形可撓性プレート３１４とが設けてある。
【００１４】
前記口部３２には、その下方部に限定されている雌ねじ部３２１と、その上部に中央スリーブ穴３２３が広がるテーパ付きノズル部３２２と、連結溝３２４１が形成されていて、テーパ付きノズル部３２２を取り囲む連結部３２４とが設けられている。
【００１５】
フィルタ付きキャップ３３には、その上部表面に配置された複数個のフィルタ孔３３１と、口部３２の連結部３２４と係合するよう配置された突出リブ３３２１付き連結底端部３３２と形成されている。
【００１６】
なお、前記フィルタ付きキャップ３３の変形例として図４に示す構成であっても良い。即ち、同一部分には同一符号に´を付して詳細は省略するが、この変形例では図３の複数個のフィルタ孔３３１にかえて、中央フィルタ孔３３１’を形成したものである。
【００１７】
前記下方制御集成体４０は、上部ロッド４１、可撓性スリーブ４２、押圧ロッド４３、位置決め手段４４、回転式ねじスリーブ４５、内側位置決めスリーブ４６、基部座４７と、から構成されている。
【００１８】
中空部材である上部ロッド４１は、その上部に複数個のスロット４１１１が形成された多角形固着部４１１と、その底部で下方に伸長する多角形スリーブ柱４１２とを有する。
【００１９】
前記多角形中空体である可撓性スリーブ４２は、連結プレートを介して結合された左，右１対のプレートから構成されていて、各々のプレートには、それぞれ内側及び外側の両側に配置された１対の上方接触ブロック４２１及び下方接触ブロック４２２がある（これにより、上部ロッド４１及び可撓性スリーブ４２は省くこともできる）。
【００２０】
前記底端部が閉じている押圧ロッド４３には、複数個の密封用ワッシャー４３１１が配設される押圧部４３１と、その底部に伸長する左廻りねじ付き柱４３２と、その中央に形成された多角形のスリーブ孔４３３とが形成されている。
前記位置決め手段４４には、その外側周縁に対称に配置された１対の傾斜角突出部４４１と、その中央に形成された雌ねじ部４４２とが形成されている。
前記回転式ねじスリーブ４５には、その中央に右廻りねじ孔４５１が、そして、その外側周縁には雄ねじ部４５２が形成されている。
【００２１】
前記内側位置決めスリーブ４６には、複数個のリング状リブ４６１がその外周縁の中央に突出しており、底部には多角形の係合部４６２が形成されており、その中央には両側を平行線でカットされた中央スリーブ孔４６３が形成されている。
前記基部座４７には、その中央部に多角形の係合溝４７１が形成されている。
【００２２】
次に、図５及び図６において、本考案の実際の組立について説明する。
組立てに際しては、まず、上部ロッド４１を外側スリーブ管２０へスリーブ結合させて、該上部ロッドの多角形固着部４１１が多角形位置決め部２４にしっかりと係合する。可撓性スリーブ４２の上方部を、該スリーブ４２の多角形スリーブ柱４１２の底部に取り付け、スリーブ４２の上方接触ブロック４２１を介してスリーブ柱４１２へ柔軟に設置される。そして、押圧ロッド４３を可撓性スリーブ４２へ移動する、多角形スリーブ孔４３３が可撓性スリーブ４２の下方部へ結合されて、下方接触ブロック４２２に隣接して柔軟に位置決めされる。回転式ねじスリーブ４５の右廻りねじ孔４５１が押圧ロッド４３の左廻りにねじを切られたねじ付柱４３２へねじ式に結合され、位置決め手段４４の内側ねじ部４４２を、該位置決め手段４４の傾斜角度付き突出部４４１が外側スリーブ管２０の傾斜角度付き案内ブロック２４とぴたりと対応して係合するまで、上方へ回転式ねじスリーブ４５の外側ねじ部４５２へとねじ上げる。内側位置決めスリーブ４６の中央スリーブ孔４６３を、回転式ねじスリーブ４５の外側ねじ部４５２を通して、底部から上部へ、リング状リブ４６１が外側スリーブ管２０のリング状凹部２６に係合するまで、上げていく。それから、基部座４７の多角形係合溝４７１が内側位置決めスリーブ４６の多角形係合部４６２へ据え付けられ、外側スリーブ管２０の底部に係止され、下方制御集成体の組立てが完了する。
【００２３】
化粧水が外側スリーブ管２０の保持室２７へ注ぎ込まれると、スリーブ弁３１が外側スリーブ管２０の上部開口部に適用されて、円弧状可撓性プレート３１４が中でスリーブ係合し、底部フランジ３１４１が内側側部にしっかりと係止し、テーパ付きファセット３１２が上部スリーブ２３の上に位置決められる。その後、口部３２が外側スリーブ管２０の上部に据え付けられて、その中央スリーブ穴３２３にスリーブ弁３１の突出ロッド３１１が係合して、テーパ付きノズル３２２がスリーブ弁３１のテーパ付きファセット３１２に対しぴったりと閉じて、雌ねじ部３２１が階段状の外側ねじ部２２へねじ結合されると、テーパ付きファセット３１２に分布した貫通孔３１２１を塞ぐようになる。
【００２４】
次に、フィルタ・キャップ３３の連結底端部３３２が口部の連結部３２４へ設置されると、リブ３３２１が連結溝３２４１に入り込んでゆくようになるので、これにより、化粧水がその中へ漏れてゆくことを防止するので、図５に示すように、フィルタ付きキャップ３３及び口部３２の良好な衛生状態を保持できるようになり、上方制御集成体３０の組立てが完成する。
【００２５】
図６は、前記図３の実施例の変形例で示した図４に示すフィルター付キャップ３３´を取り付けた状態を示す変形例の組み立て図で、これ以外の構成は前記図５に示す実施例と同様なので同一符号を付してその説明を省略する。
【００２６】
そして、最後に蓋２０１が口部の上方部に被せられ、外側スリーブ管２０の連結リング部２１へスリーブ結合していくと、係合用ドット２１１が内部位置決め溝２０１１のところに位置するようになり、これで、本願発明の組立てが終了する。
【００２７】
本発明の実際の使用における動作について、図７及び変形例の図８を参照しながら説明する。
まず最初に、蓋２０を外側スリーブ管２０の上部からはずす。次に、口部３２を一方向（矢印方向）へ廻して階段状雄ねじ部２２から内雌ねじ部３２１を外し、口部３２を上方へ引き上げて、口部３２の中央スリーブ孔３２３からスリーブ弁３２の突出ロッド３１１を離間させ、スリーブ弁３１のテーパ付きファセット１２と口部３２のテーパ付きノズル３２２とによって限定された隙間Ｂを形成すると、図７に示すように、化粧水が貫通孔３１２１から出て来る。
【００２８】
次に、基部座４７を一方向（矢印方向）に廻し、回転式ねじスリーブ４５が上方へ進むように回転すると同時に、これにより、左廻りねじ柱４３２から離れて、押圧ロッド４３が外側スリーブ管２０の化粧水保持室２７で上方へ垂直に移動する。前記保持室２７の中に入っていて、押圧ロッド４３により上方へ押し上げられた化粧水は、図７に示すように、多角形固定部４１１のスロット４１１１、テーパ付きファセット３１２の貫通孔３１２１、テーパ付きファセット３１２によって限定された隙間Ｂ、口部３２のテーパ付きノズル３２２、それぞれから順に次々と出て行き、最後に、フィルタ・キャップ３３のフィルタ孔３３１あるいは変形例で示す図８の３３‘の中フィルタ孔３３１’から出て行く。
【００２９】
テーパ付きファセット３１２及びテーパ付きノズル３２２によって形成された隙間Ｂを調整することにより、口部３２から取り出せる化粧水の量を、化粧水が瞬間的に溢れ出てしまうという不都合なことなく、簡単にそして正確に加減して調節することができるようになる。
また、前記に開示した構造は、単に本考案の実施可能な実施例を具体的に詳細に説明したものであり、本考案の実施形態に示す構成に限らず、本考案の実用新案登録請求の範囲の各請求項に記載した技術的範囲を逸脱しない範囲において、種々に変更し変形できることは言うまでもない。
【００３０】
【考案の効果】
本考案は、以上のような構成を備えているので、以下のような優れた利点を有する：
【００３１】
外側スリーブ管と、上方制御集成体と、下方制御集成体とから構成して成り、前記外側スリーブ管の上方開口部に適用されたスリーブ弁と、前記スリーブ弁に対してぴたりと閉じるように接触して前記弁の貫通孔を密封するために外側スリーブにねじ止めされた口部と、前記口部の上部に固く据え付けられたフィルター付きキャップとにより、外側スリーブ管に入れられた化粧水が、口部の外側やフィルタ・キャップの内側に溢れ出してべたべたになったりすることなく正確にボトルの中に維持されて、化粧水用のボトルを良好な衛生状態に保ち、化粧水を無駄なく使用できる。
【００３２】
前記上方制御集成体の口部を回転すると、口部のテーパ付き接触ファッセット及びテーパ付きノズルとで限定された隙間が形成されるようにしたので、化粧水を使うとき、この隙間の寸法を調節することにより化粧水の排出量を調節できるようにしたので、化粧水が突然にどっと飛び出したりして、無駄にするということが回避できる。
下方制御集成体の押圧ロッドの底部に伸長している左廻りのねじ付きカラムが、回転式ねじスリーブの右廻りねじ付き孔とぴたりと合うように構成されているので、基部座を一側へ回転すれば、回転式ねじスリーブを上方へ回転して、押圧ロッドを垂直に上方に移動するようにさせるので、使用時に、中の化粧水が滑らかに上方へ上がって行き、上方制御集成体を介して間断なく流れ出るようにしたので、化粧水用のボトルを衛生的に維持し、ボトルのなかの化粧水を無駄なく使用できる。
【図面の簡単な説明】
【図１】従来の化粧水用ボトルの一部断面正面図。
【図２】図１の従来形の化粧水用ボトルの実際の使用状態を示す斜視図。
【図３】本考案の化粧水用ボトル構造の各構成要素を一部破断して示す分解斜視図。
【図４】本考案の上方制御集成体の変形例を示すフィルタ付きキャップを示す斜視図。
【図５】本考案の化粧水用ボトル構造の縦断面図。
【図６】図４の変形例の化粧水用ボトル構造の部分断面図。
【図７】本考案の化粧水用ボトル構造を実際に操作した状態の縦断面図。
【図８】図６の変形例における化粧水用ボトルを実際に使用する状態のボトル構造の部分断面図。
【符号の説明】
２０　　　外側スリーブ管
２０１　　蓋
２０１１　内側位置決め溝
２１　　　連結リング部
２２　　　外側ねじ部
２３　　　上部スリーブ
２４　　　多角形位置決め部
２５　　　傾斜角案内ブロック
２６　　　リング状凹部
２７　　　保持室
３０　　　上方制御集成体
３１　　　スリーブ弁
３２　　　口部
３３　　　フィルター付きキャップ
４０　　　下方制御集成体
４１　　　上部ロッド
４２　　　可撓性スリーブ
４３　　　押圧ロッド
４４　　　位置決め手段
４５　　　回転式ねじスリーブ
４６　　　内側位置決めスリーブ
４７　　　基部座
【図１】
0003098831.tif 000003
【図２】
0003098831.tif 000004
【図３】
0003098831.tif 000005
【図４】
0003098831.tif 000006
【図５】
0003098831.tif 000007
【図６】
0003098831.tif 000008
【図７】
0003098831.tif 000009
【図８】
0003098831.tif 000010